(57)【要約】【課題】メーカーが販売したいと考える販促企画の対象商品の販売数を伸ばすことができる情報処理装置およびプログラムを提供する。【解決手段】対象商品の購入を条件として特典を会員に付与する付与部２５と、会員の中から所定の条件の下で抽出した特定会員に対して販促企画に関する販促情報を提供する提供部２６と、を備え、付与部２５は、特典が販促情報に関連しているか否かを判断し、販促情報と関連している特典については、特定会員に対して付与することにより、販促情報と関連している特典については、特定会員に限定して特典を付与することができるので、特典の付与を受けることができない会員の購買意欲を効果的に喚起させて、メーカーが販売したいと考える販促企画の対象商品の販売数を伸ばすことができる。【選択図】図１０
2011191825.tif 000002
【特許請求の範囲】
【請求項１】
対象商品の購入を条件として特典を会員に付与する付与手段と、
会員の中から所定の条件の下で抽出した特定会員に対して販促企画に関する販促情報を提供する提供手段と、を備え、
前記付与手段は、前記特典が前記販促情報に関連しているか否かを判断し、前記販促情報と関連している前記特典については、前記特定会員に対して付与することを特徴とする情報処理装置。
【請求項２】
前記特典と、購入を条件として当該特典が付与される前記対象商品の販売を促進する販促企画に関する前記販促情報と、の関連を記憶する記憶手段をさらに備え、
前記付与手段は、前記記憶手段に記憶された関連に従って、前記特典が前記販促情報と関連しているか否かを判断することを特徴とする請求項１に記載の情報処理装置。
【請求項３】
前記所定条件は、前記特典を付与する会員が購入した商品の合計金額が、予め設定された金額以上であるか否かであることを特徴とする請求項１または２に記載の情報処理装置。
【請求項４】
コンピュータを、
対象商品の購入を条件として特典を会員に付与する付与手段と、
会員の中から所定の条件の下で抽出した特定会員に対して販促企画に関する販促情報を提供する提供手段と、として機能させ、
前記付与手段は、前記特典が前記販促情報に関連しているか否かを判断し、前記販促情報と関連している前記特典については、前記特定会員に対して付与することを特徴とするプログラム。
【請求項５】
前記コンピュータは、前記特典と、購入を条件として当該特典が付与される前記対象商品の販売を促進する販促企画に関する前記販促情報と、の関連を記憶する記憶手段、を備え、
前記付与手段は、前記記憶手段に記憶された関連に従って、前記特典が前記販促情報と関連しているか否かを判断することを特徴とする請求項４に記載のプログラム。
【請求項６】
前記所定条件は、前記特典を付与する会員が購入した商品の合計金額が、予め設定された金額以上であるか否かであることを特徴とする請求項４または５に記載のプログラム。
【発明の詳細な説明】
【技術分野】
【０００１】
本発明は、情報処理装置およびプログラムに関する。
【背景技術】
【０００２】
従来、対象商品が購入された際に電子クーポンなどの特典を付与する特典付与機能、および対象商品の購入頻度が高いなど所定の条件により抽出された特定会員に対して販促企画に関わる販促情報を印字したレシートを提供する販促レシート機能をそれぞれ独立した機能として運用するＰＯＳ（Point  Of  Sales）システムが開示されている（特許文献１参照）。
【発明の概要】
【発明が解決しようとする課題】
【０００３】
ところで、従来のＰＯＳシステムでは、特典付与機能と販促レシート機能とがそれぞれ独立した機能として運用されていたため、販促レシート機能により販促情報の提供を受けていない会員も、販促レシート機能により販促情報の提供を受けている会員と同じ特典を受けることができる。そのため、従来のＰＯＳシステムでは、会員の購買意欲を効果的に喚起させて、対象商品の購入頻度を伸ばすことができていない、という課題がある。
【０００４】
本発明は、上記に鑑みてなされたものであって、メーカーが販売したいと考える販促企画の対象商品の販売数を伸ばすことができる情報処理装置およびプログラムを提供することを目的とする。
【課題を解決するための手段】
【０００５】
上述した課題を解決し、目的を達成するために、本発明は、対象商品の購入を条件として特典を会員に付与する付与手段と、会員の中から所定の条件の下で抽出した特定会員に対して販促企画に関する販促情報を提供する提供手段と、を備え、前記付与手段は、前記特典が前記販促情報に関連しているか否かを判断し、前記販促情報と関連している前記特典については、前記特定会員に対して付与することを特徴とする。
【０００６】
また、本発明は、コンピュータを、対象商品の購入を条件として特典を会員に付与する付与手段と、会員の中から所定の条件の下で抽出した特定会員に対して販促企画に関する販促情報を提供する提供手段と、として機能させ、前記付与手段は、前記特典が前記販促情報に関連しているか否かを判断し、前記販促情報と関連している前記特典については、前記特定会員に対して付与することを特徴とする。
【発明の効果】
【０００７】
本発明にかかる情報処理装置およびプログラムは、メーカーが販売したいと考える販促企画の対象商品の販売数を伸ばすことができる、という効果を奏する。
【図面の簡単な説明】
【０００８】
【図１】図１は、本実施の形態にかかるＰＯＳシステムの概略構成図である。
【図２】図２は、会員サーバの機能的構成を示すブロック図である。
【図３】図３は、会員情報テーブルを示す図である。
【図４】図４は、特典コードテーブルを示す図である。
【図５】図５は、販促情報テーブルを示す図である。
【図６】図６は、販促情報コードテーブルを示す図である。
【図７】図７は、ストアサーバの機能的構成を示したブロック図である。
【図８】図８は、ＰＯＳ端末の構成を概略的に示した外観斜視図である。
【図９】図９は、会員カードの磁気情報を説明する図である。
【図１０】図１０は、ＰＯＳ端末の機能的構成を示すブロック図である。
【図１１】図１１は、情報発信端末の構成を概略的に示した外観斜視図である。
【図１２】図１２は、情報発信端末の機能的構成を示すブロック図である。
【図１３】図１３は、販促情報の提供例を示す図である。
【図１４】図１４は、特典の付与例を示す図である。
【図１５】図１５は、クーポンを特典として付与した場合の図である。
【図１６】図１６は、特典を付与する処理の手順を示すフローチャートである。
【図１７】図１７は、特典と販促情報とが関連しているか否かを判断する処理の手順を示すフローチャートである。
【発明を実施するための形態】
【０００９】
以下に添付図面を参照して、本発明にかかる情報処理装置およびプログラムの最良な実施の形態を詳細に説明する。本実施の形態においては、量販店やスーパーマーケット、ショッピングセンター等の店舗で用いられるＰＯＳシステムに、本発明にかかる情報処理装置およびプログラムを適用した場合について説明する。
【００１０】
図１は、本実施の形態にかかるＰＯＳシステムの概略構成図である。ＰＯＳシステム１は、図１に示すように、複数台（図では２台）のＰＯＳ端末２と、情報発信端末７と、これらのＰＯＳ端末２をＬＡＮ（Local  Area  Network）３等のネットワークで接続して集中管理するストアサーバ４とで構成される。また、ストアサーバ４は、インターネット５によって会員サーバ６に接続されている。
【００１１】
まず、会員サーバ６について説明する。会員サーバ６は、対象商品を購入した際に特典を付与する会員を管理したり、対象商品の金額等に応じて会員に付与するポイントや値引き等の特典を管理したり、販促企画に関する販促情報を管理したり、販促情報を提供する会員を管理するなど、販促企画を全般的に管理するサーバである。
【００１２】
図２は、会員サーバの機能的構成を示すブロック図である。会員サーバ６は、ＣＰＵ（Central  Processing  Unit）、ＲＯＭ（Read  Only  Memory）、ＲＡＭ（Random  Access  Memory）等で構成されるコンピュータ構成の制御部６１を備え、バス６２を介して接続された通信Ｉ／Ｆ６３から、インターネット５を介してストアサーバ４との間で相互にオンライン通信を行う。また、制御部６１にはバス６２およびＩ／Ｏ機器制御部６４を介して、キーボード６５、表示器６６、ＨＤＤ（Hard  Disk  Drive）６８等が接続されている。ＨＤＤ６８には、制御部６１のＣＰＵとの協働により、会員サーバ６を販促企画を管理するサーバとして動作させるための各種プログラム（例えば、Ｗｅｂアプリケーション、データベースプログラム等）の他、会員が購入した商品や会員が購入した商品の合計金額や購入日などを示す販売データや、会員情報テーブルＴ１、特典コードテーブルＴ２、販促情報テーブルＴ３、販促情報コードテーブルＴ４が格納されている。
【００１３】
図３は、会員情報テーブルを示す図である。会員情報テーブルＴ１は、対象商品を購入した際に特典を付与する会員の氏名３０２、会員がこれまでに累積したポイントである累積ポイント数３０３等の各種会員情報を、会員を識別可能にする会員ＩＤ３０１に対応付けて記憶するものである。
【００１４】
図４は、特典コードテーブルを示す図である。特典コードテーブルＴ２は、対象商品を購入した会員に特典を付与する特典付与企画を識別可能にする企画番号４０２、対象商品を購入した会員に特典を付与する企画期間４０３、および対象商品を購入した会員に付与するポイントや値引きなどの特典を識別可能にする特典コード４０４を、対象商品を識別可能にする対象商品コード４０１に対応付けて記憶するものである。
【００１５】
なお、特典コード４０４は、特典を識別可能にするとともに、会員が購入した対象商品の販売を促進する販促企画に関する販促情報５０２（図５参照）があるか否か、および購入を条件として特典コード４０４が示す特典が付与される対象商品の販売を促進する販促企画に関する販促情報５０２（図５参照）の販促情報コード５０１（図５参照）を示している。つまり、特典コード４０４は、特典と、購入を条件として当該特典が付与される対象商品の販売を促進する販促企画に関する販促情報と、の関連を記憶する。本実施の形態では、特典コード４０４は、４桁の数字で表される。具体的には、特典コード４０４の上２桁が、会員が購入した対象商品の販売を促進する販促企画に関する販促情報５０２（図５参照）があるか否かを示し、特典コード４０４の下２桁が当該特典コード４０４が示す特典が購入を条件として付与される対象商品の販売を促進する販促企画に関する販促情報５０２の販促情報コード５０１（図５参照）を示している。
【００１６】
図５は、販促情報テーブルを示す図である。販促情報テーブルＴ３は、販促企画の対象商品を購入した会員に付与する特典や特典を付与する期間など販促企画に関する販促情報５０２を、当該販促情報５０２を識別可能にする販促情報コード５０１に対応付けて記憶するものである。なお、本実施の形態では、特典コード４０４の下２桁を販促情報コード５０１と同じにすることにより、特典を販促情報５０２に対して関連させている。
【００１７】
図６は、販促情報コードテーブルを示す図である。販促情報コードテーブルＴ４は、販促企画を識別可能にする企画番号６０１、販促情報５０２を提供する販促情報提供期間６０２、および特定会員の会員ＩＤ（以下、特定会員ＩＤとする）６０３を、販促情報５０２を識別可能にする販促情報コード５０１に対応付けて記憶する。なお、本実施の形態では、企画番号６０１、販促情報提供期間６０２、および特定会員ＩＤ６０３が、４つの販促情報コード５０１を対応付けて記憶されている。
【００１８】
ここで、制御部６１は、抽出部６９を主に備えている。抽出部６９は、会員情報テーブルＴ１に会員ＩＤ３０１が記憶された会員の中から、所定の条件の下で、販促情報５０２を提供する特定会員を抽出する。ここで、所定の条件は、会員サーバ６の管理者が任意に設定することができる。例えば、所定の条件は、販売データが示す合計金額が予め設定された金額以上であるか否か、会員情報テーブルＴ１において会員ＩＤ３０１と対応付けて記憶された累積ポイント数３０３が予め設定されたポイント数以上であるか否か、会員が商品を購入日が販促情報コードテーブルＴ４において販促情報コード５０１と対応付けられた販促情報提供期間６０２であるか否か等が考えられる。
【００１９】
そして、抽出部６９は、抽出した特定会員の特定会員ＩＤ６０３を、販促情報コード５０１を対応付けて販促情報コードテーブルＴ４に格納する。
【００２０】
次に、ストアサーバ４について説明する。ストアサーバ４は、ＰＯＳシステム１全体の制御を受け持つものである。ここで、図７は、ストアサーバの機能的構成を示したブロック図である。ストアサーバ４は、ＣＰＵ、ＲＯＭ、ＲＡＭ等で構成されるコンピュータ構成の制御部４１と、バス４２を介して接続された通信Ｉ／Ｆ４３１から、ＬＡＮ３（図１参照）を介して複数台のＰＯＳ端末２との間で相互にオンライン通信を実行し得るように構成されている。さらに、バス４２を介して接続された通信Ｉ／Ｆ４３２から、インターネット５（図１参照）を介して上位サーバ６との間で相互にオンライン通信を実行し得るように構成されている。また、制御部４１にはバス４２及びＩ／Ｏ機器制御部４４を介して、キーボード４５、表示器４６、プリンタ４７及びＨＤＤ４８が接続されている。ＨＤＤ４８には、制御部４１のＣＰＵを動作させる各種制御プログラムが格納されている。
【００２１】
次に、本実施の形態にかかるＰＯＳ端末２について説明する。図８は、ＰＯＳ端末の構成を概略的に示した外観斜視図である。図９は、会員カードの磁気情報を説明する図である。
【００２２】
ＰＯＳ端末２は、図８に示すように、現金等を収容するためのドロワ１２の上に載置されており、このドロワ１２の引出し１２ａの開閉を制御する。ＰＯＳ端末２の正面側には、登録、点検、精算、設定などの各種業務モードを選択するためのモードキー１４が設けられている。また、ＰＯＳ端末２の正面に設けられたキーボード１３には、オペレータ（店員）が、例えば預かり金額などを置数するための置数キーや、１商取引として販売登録が行われた商品の合計出力を指示する小計キーなど、各種操作入力を行うための操作キーが配置されている。また、キーボード１３に近接する位置には、客の会員カード７の磁気情報２０（図９参照）から、会員ＩＤ９０１や会員氏名９０２等の会員情報を読み取るカードＲＷ（リーダライタ）１１が接続されている。尚、ＰＯＳ端末２にＲＦＩＤリーダライタを接続して、ＲＦＩＤ機能付き携帯型電子端末または客のＲＦＩＤ機能付き会員カード等から、会員情報の入力を受付けても良い。
【００２３】
さらにＰＯＳ端末２には、図８に示すように、正面側には店員用ディスプレイ１５が、背面側には客用ディスプレイ１６が取り付けられており、これらは販売登録された商品の品名、価格や、販売登録の終了が宣言された１商取引の合計金額、釣銭額などを表示するもので、液晶カラーディスプレイ等が用いられる。ＰＯＳ端末２は、レシート及びジャーナルを印字するプリンタ１７を内蔵しており、プリンタ１７によって印字されたレシートはＰＯＳ端末２の正面側に形成されたレシート発行口１８から発行される。またＰＯＳ端末２には、商品に付与されたバーコードを読取るためのスキャナ１９が接続されている。
【００２４】
図１０は、ＰＯＳ端末の機能的構成を示すブロック図である。ＰＯＳ端末２は、ＣＰＵと、ＲＯＭと、ＲＡＭ等（いずれも不図示）で構成されるコンピュータ構成の制御部２１を備えている。ＲＯＭは、ＣＰＵが実行する各種プログラムや各種データを記憶する。ＲＡＭは、ＣＰＵが各種プログラムを実行する際に一時的にデータやプログラムを記憶するものであり、会員が購入した商品や会員が購入した商品の合計金額や購入日などを示す販売データや、会員サーバ６からダウンロードした会員情報テーブルＴ１、特典コードテーブルＴ２、販売情報テーブルＴ３、販促情報コードテーブルＴ４、各種の画面表示データなどを記憶するものである。
【００２５】
制御部２１は、Ｉ／Ｏ機器制御部２４およびバス２２を介して、キーボード１３、店員用ディスプレイ１５、客用ディスプレイ１６、プリンタ１７、スキャナ１９、カードＲＷ１１等のＩ／Ｏ機器を制御し、ＰＯＳ端末２のシステム全体を制御するものである。また、制御部２１は、通信Ｉ／Ｆ２３およびＬＡＮ３（図１参照）を介してストアサーバ４と相互に通信を行い、さらに、インターネット５を介して会員サーバ６と通信を行う。ここで、制御部２１は、付与部２５と、提供部２６と、を主に備えている。
【００２６】
次に、本実施の形態にかかる情報発信端末７について説明する。図１１は、情報発信端末の構成を概略的に示した外観斜視図である。
【００２７】
情報発信端末７は、図１１に示すように、本体７００の上部に、販促企画に関する販促情報などを表示したり、特典の付与を要求するための各種入力操作を行ったりするタッチパネル７０１が配置されている。また、情報発信端末７は、本体７００内に搭載されたカードＲＷ１１（図１２参照）に会員カード７を挿入するためのカード挿入口７０２、およびプリンタ１７（図１２参照）により印字された割引券等の景品やジャーナル等を発行する発行口７０３等を備えている。
【００２８】
図１２は、情報発信端末の機能的構成を示すブロック図である。なお、本実施の形態にかかる情報発信端末７は、ＰＯＳ端末２とほぼ同様の機能的構成を有しているため、ＰＯＳ端末２と同様の機能的構成については同じ符号を付して説明する。
【００２９】
情報発信端末７は、ＣＰＵと、ＲＯＭと、ＲＡＭ等（いずれも不図示）で構成されるコンピュータ構成の制御部２１を備えている。ＲＯＭは、ＣＰＵが実行する各種プログラムや各種データを記憶する。ＲＡＭは、ＣＰＵが各種プログラムを実行する際に一時的にデータやプログラムを記憶するものであり、会員が購入した商品や会員が購入した商品の合計金額や購入日などを示す販売データや、会員サーバ６からダウンロードした会員情報テーブルＴ１、特典コードテーブルＴ２、販売情報テーブルＴ３、販促情報コードテーブルＴ４、各種の画面表示データなどを記憶するものである。
【００３０】
制御部２１は、Ｉ／Ｏ機器制御部２４およびバス２２を介して、タッチパネル７０１、プリンタ１７、カードＲＷ１１等のＩ／Ｏ機器を制御し、情報発信端末７のシステム全体を制御するものである。また、制御部２１は、通信Ｉ／Ｆ２３およびＬＡＮ３（図１参照）を介してストアサーバ４と相互に通信を行い、さらに、インターネット５を介して会員サーバ６と通信を行う。制御部２１は、ＰＯＳ端末２と同様に、付与部２５と、提供部２６と、を主に備えている。
【００３１】
次に、ＰＯＳ端末２および情報発信端末７の制御部２１が備える付与部２５と、提供部２６とについて説明する。
【００３２】
提供部２６は、カードＲＷ１１によって読み取った会員ＩＤ９０１と販促情報コードテーブルＴ４に記憶された特定会員ＩＤ６０３とが一致した場合に、販促情報コードテーブルＴ４から、カードＲＷ１１によって読み取った会員ＩＤ９０１と一致する特定会員ＩＤ６０３が対応付けられた販促情報コード５０１を検索する。さらに、提供部２６は、販促情報テーブルＴ３から、検索した販促情報コード５０１と対応付けられた販促情報５０２を検索する。そして、提供部２６は、カードＲＷ１１によって読み取った会員ＩＤ９０１と一致する特定会員ＩＤ６０３が示す特定会員に対して、検索した販促情報５０２を提供する。図１３は、販促情報の提供例を示す図である。本実施の形態では、提供部２６は、図１３に示すように、プリンタ１７を制御して、検索した販促情報５０２をレシート１３００に印字することにより、特定会員に対して、検索した販促情報５０２を提供する。
【００３３】
付与部２５は、カードＲＷ１１によって読み取った会員情報が示す会員が対象商品を購入した場合、特典コードテーブルＴ２において、購入した対象商品の対象商品コード４０１と特典コード４０４とが対応付けられているか否かを判断する。購入した対象商品の対象商品コード４０１と特典コード４０４とが対応付けられていなかった場合、ＰＯＳ端末２および情報発信端末７は、特典の付与および販促情報５０２の提供を行わずに処理を終了する。
【００３４】
また、購入した対象商品の対象商品コード４０１と特典コード４０４とが対応付けられていた場合、付与部２５は、購入した対象商品の販売を促進する販促企画に関する販促情報５０２があるか否かを判断する。
【００３５】
本実施の形態では、付与部２５は、購入した対象商品の対象商品コード４０１と対応付けられた特典コード４０４の上２桁が「９９」である場合（つまり、特典コードが９９００番台である場合）には、購入した対象商品の販売を促進する販促企画に関する販促情報５０２があると判断する。なお、購入した対象商品の販売を促進する販促企画に関する販促情報５０２が無いと判断した場合、付与部２５は、対象商品の購入を条件として対象商品コード４０１と対応付けられた特典コード４０４が示す特典を会員に対して付与する。
【００３６】
さらに、付与部２５は、購入した対象商品の販売を促進する販促企画に関する販促情報５０２があると判断した場合、購入した対象商品の対象商品コード４０１と対応付けられた特典コード４０４に従って、当該特典コード４０４が示す特典が、販促情報コードテーブルＴ４において、カードＲＷ１１によって読み取った会員ＩＤ９０１と一致する特定会員ＩＤ６０３が対応付けられた販促情報コード５０１が示す販促情報５０２に関連している否かを判断する。本実施の形態では、付与部２５は、購入した対象商品の対象商品コード４０１と対応付けられた特典コード４０４の下２桁が示す販促情報コードと、販促情報コードテーブルＴ４において、カードＲＷ１１によって読み取った会員ＩＤ９０１と一致する特定会員ＩＤ６０３が対応付けられた販促情報コード５０１と、が同じ場合に、特典コード４０４が示す特典と販促情報５０２とが関連していると判断する。
【００３７】
そして、購入した対象商品の対象商品コード４０１と対応付けられた特典コード４０４が示す特典が、販促情報コードテーブルＴ４において、カードＲＷ１１によって読み取った会員ＩＤ９０１と一致する特定会員ＩＤ６０３が対応付けられた販促情報コード５０１が示す販促情報５０２に関連していると判断した場合、付与部２５は、販促情報５０２に関連している特典（例えば、商品の値引きやポイントなど）については、カードＲＷ１１によって読み取った会員ＩＤ９０１が示す会員のうち特定会員ＩＤ６０３が示す特定会員に対して付与する。図１４は、特典の付与例を示す図である。本実施の形態では、付与部２５は、カードＲＷ１１によって読み取った会員情報が示す会員が購入した商品の金額から値引きするとともに、プリンタ１７を制御して、会員が購入した商品の金額１４０２および値引き額１４０１が印字されたレシート１４００を発行する。なお、図１４に示すような値引き等の特典の付与に限定するものではなく、クーポンを特典として付与することも可能である。図１５は、クーポンを特典として付与した場合の図である。付与部２５は、プリンタ１７を制御して、図１５に示すようなクーポン１５００を、カードＲＷ１１によって読み取った会員ＩＤ９０１が示す会員のうち特定会員ＩＤ６０３が示す特定会員に対して付与する。
【００３８】
次に、ＰＯＳ端末２が行う、特典の付与を行う処理の手順について説明する。図１６は、特典を付与する処理の手順を示すフローチャートである。図１７は、特典と販促情報とが関連しているか否かを判断する処理の手順を示すフローチャートである。
【００３９】
カードＲＷ１１によって読み取った会員情報が示す会員が対象商品を購入した場合、付与部２５は、特典コードテーブルＴ２において、購入した対象商品の対象商品コード４０１と特典コード４０４とが対応付けられているか否かを判断する（ステップＳ１５０１）。特典コードテーブルＴ２において、購入した対象商品の対象商品コード４０１と特典コード４０４とが対応付けられていなかった場合（ステップＳ１５０１：Ｎｏ）、ＰＯＳ端末２および情報発信端末７は、特典の付与および販促情報５０２の提供を行わずに処理を終了する。
【００４０】
特典コードテーブルＴ２において、購入した対象商品の対象商品コード４０１と特典コード４０４とが対応付けられていた場合（ステップＳ１５０１：Ｙｅｓ）、付与部２５は、特典コードテーブルＴ２において、購入した対象商品の対象商品コード４０１と対応付けられた特典コード４０４の上２桁が「９９」であるか否かを判断する（ステップＳ１５０２）。購入した対象商品の対象商品コード４０４と対応付けられた特典コード４０４の上２桁が「９９」でないと判断した場合（ステップＳ１５０２：Ｎｏ）、付与部２５は、購入した対象商品の対象商品コード４０４と対応付けられた特典コード４０４が示す特典を、カードＲＷ１１によって読み取った会員情報が示す会員に付与する（ステップＳ１５０３）。
【００４１】
特典コードテーブルＴ２において、購入した対象商品の対象商品コード４０１と対応付けられた特典コード４０４の上２桁が「９９」であると判断した場合（ステップＳ１５０２：Ｙｅｓ）、付与部２５は、購入した対象商品の対象商品コード４０１と対応付けられた特典コード４０４が示す特典が、販促情報コードテーブルＴ４において、カードＲＷ１１によって読み取った会員ＩＤ９０１と一致する特定会員ＩＤ６０３と対応付けられた販促情報コード５０１が示す販促情報５０２と関連している否かを判断する（ステップＳ１５０４）。
【００４２】
ここで、図１７を用いて、特典と販促情報とが関連しているか否かを判断する処理について詳細に説明する。付与部２５は、まず、カードＲＷ１１によって読み取った会員ＩＤ９０１と一致する特定会員ＩＤ６０３が対応付けられた販促情報コード５０１の検索を販促情報コードテーブルＴ４に記憶された販促情報コード５０１（例えば、４回）分行ったか否かを判断する（ステップＳ１６０１）。
【００４３】
カードＲＷ１１によって読み取った会員ＩＤ９０１と一致する特定会員ＩＤ６０３が対応付けられた販促情報コード５０１の検索を販促情報コードテーブルＴ４に記憶された販促情報コード５０１分行っていない場合（ステップＳ１６０１：Ｎｏ）、付与部２５は、カードＲＷ１１によって読み取った会員ＩＤ９０１と一致する特定会員ＩＤ６０３が対応付けられた販促情報コード５０１を検索する（ステップＳ１６０２）。なお、カードＲＷ１１によって読み取った会員ＩＤ９０１と一致する特定会員ＩＤ６０３が対応付けられた販促情報コード５０１の検索を販促情報コードテーブルＴ４に記憶された販促情報コード５０１分行っていた場合（ステップＳ１６０１：Ｙｅｓ）、付与部２５は、購入した対象商品の対象商品コード４０１が対応付けられた特典コード４０４が示す特典が、販促情報コードテーブルＴ４において、カードＲＷ１１によって読み取った会員ＩＤ９０１と一致する特定会員ＩＤ６０３が対応付けられた販促情報コード５０１が示す販促情報５０２と関連していないと判断する（ステップＳ１５０４：Ｎｏ）。
【００４４】
カードＲＷ１１によって読み取った会員ＩＤ９０１と一致する特定会員ＩＤ６０３が対応付けられた販促情報コード５０１があった場合（ステップＳ１６０２：Ｙｅｓ）、付与部２５は、販促情報テーブルＴ３から、検索した販促情報コード５０１と対応付けられた販促情報５０２を検索する（ステップＳ１６０３）。
【００４５】
そして、検索した販促情報コード５０１と対応付けられた販促情報５０２が検索された場合（ステップＳ１６０３：Ｙｅｓ）、付与部２５は、検索した販促情報コード５０１が、特典コードテーブルＴ２において購入した対象商品の対象商品コード４０１と対応付けられた特典コード４０４の下２桁と同じか否かを判断する（ステップＳ１６０４）。
【００４６】
検索した販促情報コード５０１が、特典コードテーブルＴ２において購入した対象商品の対象商品コード４０１と対応付けられた特典コード４０４の下２桁と同じである場合（ステップＳ１６０４：Ｙｅｓ）、付与部２５は、購入した対象商品の対象商品コード４０１と対応付けられた特典コード４０４が示す特典が、販促情報コードテーブルＴ４において、カードＲＷ１１によって読み取った会員ＩＤ９０１と一致する特定会員ＩＤ６０３が対応付けられた販促情報コード５０１が示す販促情報５０２と関連していると判断する（ステップＳ１５０４：Ｙｅｓ）。
【００４７】
購入した対象商品の対象商品コード４０１と対応付けられた特典コード４０４が示す特典が、販促情報コードテーブルＴ４において、カードＲＷ１１によって読み取った会員ＩＤ９０１と一致する特定会員ＩＤ６０３が対応付けられた販促情報コード５０１が示す販促情報５０２と関連していると判断した場合（ステップＳ１５０４：Ｙｅｓ）、付与部２５は、カードＲＷ１１によって読み取った会員ＩＤ９０１が示す会員のうち特定会員ＩＤ６０３が示す特定会員に対して、購入した対象商品の対象商品コード４０１と対応付けられた特典コード４０４が示す特典を付与する（ステップＳ１５０５）。なお、購入した対象商品の対象商品コード４０１と対応付けられた特典コード４０４が示す特典が、販促情報コードテーブルＴ４において、カードＲＷ１１によって読み取った会員ＩＤ９０１と一致する特定会員ＩＤ６０３が対応付けられた販促情報コード５０１が示す販促情報５０２と関連していないと判断した場合（ステップＳ１５０４：Ｎｏ）、付与部２５は、購入した対象商品の対象商品コード４０１と対応付けられた特典コード４０４が示す特典を付与しない。
【００４８】
本実施の形態のＰＯＳ端末２、情報発信端末７、および会員サーバ６で実行されるプログラムは、ＲＯＭ等に予め組み込まれて提供される。本実施の形態のＰＯＳ端末２、情報発信端末７、および会員サーバ６で実行されるプログラムは、インストール可能な形式又は実行可能な形式のファイルでＣＤ−ＲＯＭ、フレキシブルディスク（ＦＤ）、ＣＤ−Ｒ、ＤＶＤ（Digital  Versatile  Disk）等のコンピュータで読み取り可能な記録媒体に記録して提供するように構成してもよい。さらに、本実施の形態のＰＯＳ端末２、情報発信端末７、および会員サーバ６で実行されるプログラムを、インターネット等のネットワークに接続されたコンピュータ上に格納し、ネットワーク経由でダウンロードさせることにより提供するように構成しても良い。また、本実施の形態のＰＯＳ端末２、情報発信端末７、および会員サーバ６で実行されるプログラムをインターネット等のネットワーク経由で提供または配布するように構成しても良い。
【００４９】
本実施の形態のＰＯＳ端末２、情報発信端末７、および上位サーバ６で実行されるプログラムは、上述した各部（抽出部６９、付与部２５、提供部２６）を含むモジュール構成となっており、実際のハードウェアとしてはＣＰＵ（プロセッサ）が上記ＲＯＭからプログラムを読み出して実行することにより上記各部が主記憶装置上にロードされ、抽出部６９、付与部２５、提供部２６が主記憶装置上に生成されるようになっている。
【００５０】
このように本実施の形態にかかるＰＯＳシステム１によれば、対象商品の購入を条件として特典を会員に付与する付与部２５と、会員の中から所定の条件の下で抽出した特定会員に対して販促企画に関する販促情報を提供する提供部２６と、を備え、付与部２５は、特典が販促情報に関連しているか否かを判断し、販促情報と関連している特典については、特定会員に対して付与することにより、販促情報と関連している特典については、特定会員に限定して特典を付与することができるので、特典の付与を受けることができない会員の購買意欲を効果的に喚起させて、メーカーが販売したいと考える販促企画の対象商品の販売数を伸ばすことができる。
【符号の説明】
【００５１】
２  ＰＯＳ端末
７  情報発信端末
２５  付与部
２６  提供部
【先行技術文献】
【特許文献】
【００５２】
【特許文献１】特開２００２−７４１２９公報
【図１】
2011191825.tif 000003
【図２】
2011191825.tif 000004
【図３】
2011191825.tif 000005
【図４】
2011191825.tif 000006
【図５】
2011191825.tif 000007
【図６】
2011191825.tif 000008
【図７】
2011191825.tif 000009
【図８】
2011191825.tif 000010
【図９】
2011191825.tif 000011
【図１０】
2011191825.tif 000012
【図１１】
2011191825.tif 000013
【図１２】
2011191825.tif 000014
【図１３】
2011191825.tif 000015
【図１４】
2011191825.tif 000016
【図１５】
2011191825.tif 000017
【図１６】
2011191825.tif 000018
【図１７】
2011191825.tif 000019